(57)【特許請求の範囲】
【請求項１】
被検者が装用する眼鏡フレーム面の近傍に配置する透過型の表示面を持つ表示手段と、該表示手段の表示面上に被検者が視認可能な透過領域を持つ位置合わせ用パターンを表示する表示制御手段と、被検者が視認する前記パターンの透過領域を被検者によって確認される視線位置に合せるべく前記パターンを移動操作するための操作手段と、該操作手段により移動した前記パターンの位置に基づいて被検眼のアイポイントを得る測定手段と、を備えることを特徴とするアイポイント測定装置。
【請求項２】
請求項１のアイポイント測定装置において、前記表示手段の表示面における眼鏡フレームの位置関係を入力する入力手段を備え、前記測定手段は入力された眼鏡フレームの位置関係と前記位置合わせ用パターンの位置とから被検眼のアイポイントを得ることを特徴とするアイポイント測定装置。
【請求項３】
請求項１のアイポイント測定装置は、さらにアイポイントの位置データを入力する入力手段と、前記表示手段の表示面上に表示する累進レンズの光学パターンを複数種類記憶する記憶手段と、前記測定手段により測定されたアイポイントの位置データ，又は入力手段により入力されたアイポイントの位置データに基づいて前記記憶手段に記憶された複数種類の中から所望する累進レンズの光学パターンを選択し前記表示手段の表示面上に選択した光学パターンを表示する選択手段と、を備えることを特徴とするアイポイント測定装置。
【発明の詳細な説明】
【０００１】
【発明の属する技術分野】
本発明は、眼鏡フレームに対する被検眼の視線位置等のアイポイントを測定するアイポイント測定装置、及び累進レンズによる見え具合を事前に確認できるレンズ確認装置に関する。
【０００２】
【従来技術】
眼鏡調整においては、客が選定した眼鏡フレームに対する視線位置や瞳孔間距離等のアイポイントを測定することが重要である。
【０００３】
従来、このアイポイント測定としては、被検者が水平視した状態でレンズ上の視線位置にマーカペンで印を付けたり、鏡を利用して近用視線位置と近業距離の瞳の位置を確認するいわゆるミラー法により、視線が通る位置にアイポイントマークシールを貼る方法で行われていた。
【０００４】
また、眼鏡フレームを装用した状態の被検者の顔をテレビカメラによる撮影し、その撮影画像からアイポイントを求めるようにたものも提案されている。
【０００５】
【発明が解決しようとする課題】
しかしながら、上記のようにマーカペンで印を付ける方法やシールを貼る方法は、検者が被検者の視線状態を見て行うので、被検者と検者の位置関係や検者の経験に依存するところが大きく、測定が不正確になりやすい。また、これらの方法は測定に時間もかかる。
【０００６】
テレビカメラの撮影画像からアイポイントを求める方式は装置構成が大掛かりになり、コスト高という問題がある。また、この方式は他覚式であるため、被検者自身が測定された位置が正しいかどうか確認できないという欠点がある。
【０００７】
また、近年は累進レンズの需要が多くなってきているが、各社様々である累進レンズの光学パターンの分布が、アイポイントとの位置関係でどのような見え具合になるかを装用者（被検者）が関単に知ることはできなかった。
【０００８】
本発明は、上記従来技術に鑑み、被検者自身の自覚的なアイポイントを、簡単な構成で迅速に測定できる装置を提供することを技術課題とする。
【０００９】
また、アイポイントに基づいて配置する累進レンズの光学パターンがどのようなものかを、事前にシュミレーションして確認できる装置を提供することを技術課題とする。
【００１０】
【課題を解決するための手段】
上記課題を解決するために、本発明は以下のような構成を備えることを特徴とする。
【００１１】
（１）  アイポイント測定装置において、被検者が装用する眼鏡フレーム面の近傍に配置する透過型の表示面を持つ表示手段と、該表示手段の表示面上に被検者が視認可能な透過領域を持つ位置合わせ用パターンを表示する表示制御手段と、被検者が視認する前記パターンの透過領域を被検者によって確認される視線位置に合せるべく前記パターンを移動操作するための操作手段と、該操作手段により移動した前記パターンの位置に基づいて被検眼のアイポイントを得る測定手段と、を備えることを特徴とする。
【００１２】
（２）  （１）のアイポイント測定装置において、前記表示手段の表示面における眼鏡フレームの位置関係を入力する入力手段を備え、前記測定手段は入力された眼鏡フレームの位置関係と前記位置合わせ用パターンの位置とから被検眼のアイポイントを得ることを特徴とする。
【００１３】
（３）  （１）のアイポイント測定装置は、さらにアイポイントの位置データを入力する入力手段と、前記表示手段の表示面上に表示する累進レンズの光学パターンを複数種類記憶する記憶手段と、前記測定手段により測定されたアイポイントの位置データ，又は入力手段により入力されたアイポイントの位置データに基づいて前記記憶手段に記憶された複数種類の中から所望する累進レンズの光学パターンを選択し前記表示手段の表示面上に選択した光学パターンを表示する選択手段と、を備えることを特徴とする。
【００１９】
【発明の実施の形態】
以下、本発明の実施の形態を図面に基づいて説明する。図１は本発明に係る装置の外観構成を示す図であり、図２は制御系の構成を示す図である。
【００２０】
１は被検者が装用する眼鏡フレームＦの前面側に装着する液晶パネル部である。液晶パネル部１は眼鏡フレームＦの左右に対応して配置される透過型でマトリクス形式の液晶ディスプレイ１Ｒ，１Ｌを有し、各液晶ディスプレイ１Ｒ，１Ｌは結合部材２により一体的に結合され、クリップ等により構成される取付け部材３Ｒ，３Ｌで眼鏡フレームＦの前面側に着脱自在に取り付けることができるようになっている。なお、液晶ディスプレイ１Ｒ，１Ｌは透過及び遮光の表示をマトリクス形式で自在にできるものであるが、その構成や制御自体は本発明の特徴は無く、周知のものが使用できるので説明は省略する。
【００２１】
１０はコントロール部であり、液晶パネル部１とは通信ケーブル４により接続されている。コントロール部１０の前面パネルには測定結果や累進レンズタイプを選択するときの情報（後述する）が表示される表示部１１、液晶パネル部１に表示される位置合わせ用パターン等を移動するためのレバー１２、装置に指令を行う各種のスイッチを持つスイッチ部１３が配置されている。スイッチ部１３にはアイポイント測定と累進レンズのシュミレーションを行うモードを切替えるモードスイッチ１３ａ、アイポイント測定モードの測定プログラムをスタートするスイッチ１３ｂ、測定プログラムを進行する送りスイッチ１３ｃ、プリントスイッチ１３ｄが配置されている（図２参照）。１４は測定結果を印字出力するプリンタ、１５は他の外部装置３７へデータ転送を行うためのケーブルを接続するコネクタである。
【００２２】
図２において、２０は本装置の制御部であり、アイポイント測定のプログラムを有する。２１はアイポイント測定のプログラム実行時に音声ガイドによる指示を行う音声発生部、２３は累進レンズのシュミレーション時に使用する累進レンズのデータを記憶する書換え可能なメモリである。
【００２３】
本装置によるアイポイント測定について説明する。客（被検者）には所望する眼鏡フレームＦを掛けてもらい、検者はその掛け具合を調整した上で液晶パネル部１を取付け部材３Ｒ，３Ｌで眼鏡フレームＦの前面側に固定しておく。また、モードスイッチ１３ａによりアイポイント測定モードを設定しておく。準備ができたら被検者自身がスタートスイッチ１３ｂを押すことにより、制御部２０により測定プログラムが実行される。このアイポイントの測定は、制御部２０により制御される音声発生部２１の音声ガイドに従い、被検者自身が見え具合を確認しながらコントロール部１０のレバー１２やスイッチ類を操作することにより行えるようになっている。
【００２４】
スタートスイッチ１３ｂがＯＮされると、液晶ディスプレイ１Ｒには液晶パターンにより３ｍｍ角程の透過領域を持つ透光穴４０のパターンが表示される（図１参照）。すなわち透光穴３０を確保するようにその周辺は液晶パターンにより遮光部とされる。同時に音声発生部２１から「レバーを倒し遠方の視標の中心に眼の前の穴を合せ、送りボタンを押して下さい」と音声指示がなされる。被検者の水平方向の前方には、図３に示すように、視標呈示部３０により呈示される遠方視標を予め配置しておく（視標呈示部３０は５ｍ等の現実に所定の遠方距離に視標を呈示するものでも良いし、筐体内に持つ凹面ミラーにより光学的に視標を遠方距離にする構成のものであっても良い）。
【００２５】
被検者が操作するレバー１２の信号は制御部２０に入力され、制御部２０は信号入力に従って透光穴４０を上下左右に移動するように液晶ディスプレイ１Ｒの表示を制御する。こうして被検者は遠方視する視標が透光穴４０の中央に見えるように透光穴４０を移動することにより、その透光穴４０の中心座標が右眼の視線位置として決定される。送りスイッチ１３ｃを押すと、同様に液晶ディスプレイ１Ｌには透光穴４０が表示されると共に、音声発生部２１から音声ガイドの指示がなされる。被検者は右眼側と同様にレバー１２の操作により透光穴４０を移動して、左眼側の遠用の視線位置を決定する。
【００２６】
なお、液晶ディスプレイ１Ｒ、１Ｌ上の透光穴４０の形成は、要は透光穴４０を通して視標を見たときにその中心を視線位置として導くことができるようにすれば良く（透過領域を持つ形状の視認可能なパターンであれば良く）、上記のように透光穴３０を除く領域を全て遮光状態する他、透光穴４０を囲む領域のみを部分的に遮光状態とマークとしたり、あるいは遮光部を完全に遮光しなくとも半透過の状態にして、視標に対する透光穴４０の移動方向を認知しやすくしても良い。
【００２７】
遠用の視線位置（アイポイント）の決定後、送りスイッチ１３ｃを押すと、引き続き近用のアイポイント測定に移る。図３に示すように、被検者の前には予めテーブル等の上に近用視標３１を所望する近業距離となるように配置しておく。音声発生部２１からは、「レバーを倒し近用の視標の中心に眼の前の穴を合せ、送りボタンを押して下さい」と音声指示がなされる。被検者には遠用のときと同様に自分の希望する近用の視線位置に、液晶ディスプレイ１Ｒ側の透光穴４０をレバー１２により移動して合せてもらう。送りスイッチ１３ｃを押した後、同じ要領で左眼側の近用の視線位置を合せて両眼の視線位置の位置合わせを終了する。
【００２８】
続いて送りスイッチ１３ｃを押すと、検者による眼鏡フレームの位置関係を入力する操作に移る。液晶ディスプレイ１Ｒ、１Ｌ上には、図２に示すように、横ライン４２及び縦ライン４３からなる十字線がそれぞれ表示される。音声発生部２１からは、「レバーを倒し十字線を右眼フレーム内周に合わせ、送りボタンを押して下さい」と音声指示がなされる。レバー１２を上下方向に倒すと制御部２０の表示制御により横ライン４２が上下方向に移動するので、検者はこれと液晶ディスプレイ１Ｒを通して観察される右眼の眼鏡フレームを見ながら、横ライン４２を右眼フレームの上部内周に一致させる。また、レバー１２を左右方向に倒すと制御部２０の表示制御により縦ライン４３が左右方向に移動するので、右眼フレームの鼻側内周に縦ライン４３を一致させる。送りスイッチ１３ｃを押すと、左眼フレームについて十字線を合せる旨の音声指示がなされるので、検者は同様な要領で左眼フレームの内周に横ライン４２及び縦ライン４３を一致させる。
【００２９】
この操作中に眼鏡フレームＦと液晶ディスプレイ１Ｒ，１Ｌの位置ズレが生じる可能性がある場合に次のようにしても良い。すなわち、液晶ディスプレイ１Ｒ、１Ｌ上には横ライン４２及び縦ライン４３の表示に加えて、透光穴４０のパターン（この場合は枠表示とすれば良い）をアイポイントの測定位置に同時に表示させる。そして、検者は眼鏡フレームの位置関係の入力操作中に透光穴４０のパターンがずれることがないか被検者に確認しながら進める。また、眼鏡フレームの位置関係の入力を被検者による透光穴４０の位置合わせ前に行っておき、被検者によるアイポイント決定のための操作中に位置合わせした横ライン４２及び縦ライン４３が眼鏡フレームに対してずれることがないかを検者が確認しながら進めることも有効である。
【００３０】
液晶ディスプレイ１Ｒ、１Ｌの表示面における眼鏡フレームの位置関係が入力できると、表示部１１上にはアイポイントの測定結果が表示される（図２参照）。表示部１１の画面５０において、表示項目５１には遠用のＰＤ（瞳孔間距離）として、左眼の片眼ＰＤ、両眼ＰＤ、右眼の片眼ＰＤの値が表示される。これらは遠用測定で両眼の視線位置を定めた透光穴４０の座標位置から求められる。
【００３１】
その下の表示項目５２には、眼鏡フレームの鼻側内周に対する遠用の遠用アイポイントの距離が左右それぞれ表示される。表示項目５３は、眼鏡フレームの上部内周に対する遠用アイポイントの距離が左右それぞれ表示される。
【００３２】
同様に、表示項目５４には近用測定で視線位置を定めた透光穴４０の座標位置から左眼の片眼ＰＤ、両眼ＰＤ、右眼の片眼ＰＤの値が表示され、表示項目５５及び５６には眼鏡フレームの内周に対する近用アイポイントの距離がそれぞれ左右毎に表示される。
【００３３】
なお、上記のように被検者自身の確認の基に視線位置を定めることができるので、遠用及び近用の他、その中間帯の点をも定めることが可能である。例えば、遠用アイポイントから２ｍｍ下方に透光穴４０を表示し、レバー１２の左右方向の操作により視線位置を定める。送りスイッチ１３ｃの入力信号により制御部２０はこの位置を記憶する。これを順次２ｍｍづつ下げて繰り返すことにより、遠用アイポイントから近用アイポイントに向かう中間帯の点の測定データを得ることができ、印字出力や表示部１１上に測定データを表示して確認することができる（モードスイッチ１３ａによりこの測定モードを選択できるようにすれば良い）。
【００３４】
次に、累進レンズが持つ各種のパターンの見え具合を確認するシュミレーションのモードについて説明する。モードスイッチ１３ａを押してレンズシュミレーションのモードに切換える。表示部１１の画面５０は、図４のようにこのモードの画面に切替わり、累進レンズのタイプとしてメーカ名とそのモデル名等が表示される。累進レンズの選択は左側に表示されるカーソル５８をレバー１２の上下方向への操作により移動することにより行うことができる（レンズタイプは上下にスクロールして順次表示される）。
【００３５】
レンズのタイプを選択すると、図５のように液晶ディスプレイ１Ｒ，１Ｌ上には累進レンズのタイプに応じた光学パターンが形成されて表示される。斜線領域６０は円柱度数やその軸角度が大きく変化して像が歪む領域を示しており、液晶ディスプレイ１Ｒ、１Ｌ上では半透過部として形成され、一方、累進レンズにおける遠用部、累進帯部及び近用部は透過領域として形成される。こうして斜線領域６０の形状により累進レンズのパターンが形成され、各液晶ディスプレイ１Ｒ，１Ｌ上におけるこのパターンの配置は測定された各遠用アイポイント６１Ｒ、６１Ｌを基準として定められる。メモリ２３には各社のレンズ毎にこうした累進レンズのパターン情報が多数記憶されており、コントロール部１０側でレンズタイプを選択することにより各液晶ディスプレイ１Ｒ，１Ｌ上でそのパターンをシュミレーションすることができる。被検者はこのような表示を通して視標等を観察することにより、像が歪まずに見える範囲を自覚できると共に累進レンズの特徴を理解することができ、累進レンズの選定にも役立てることができるようになる。
【００３６】
また、累進レンズの見え具合のシュミレーションは次のようにすることもできる。図６は累進レンズのタイプに応じた遠用ポイント及び近用ポイントの表示形式である。各液晶ディスプレイ１Ｒ，１Ｌにはアイポイント測定で得られた遠用アイポイント位置に遠用ポイントを示す透過窓６３Ｒ，６３Ｌと、近用ポイントを示す透過窓６４Ｒ，６４Ｌが形成されている（その他の領域は半透過状態とされる）。透過窓６４Ｒ，６４Ｌの形成位置は、レンズタイプ毎に遠用ポイントとの位置関係に基づいて決定される。既成の累進レンズにおける近用ポイントの位置は、例えば、遠用ポイントに対して１４ｍｍ下方で、２ｍｍ鼻側に内寄せされた位置等のように定められている。メモリ２３にはレンズタイプ毎にこうした遠用及び近用ポイントの光学パターン情報を多数記憶しておき、前述と同様にコントロール部１０によりレンズタイプを選択し、被検者に最も合うものをシュミレーションする。この場合、アイポイント測定で既に近用アイポイント位置が求まっていればこれを基準にして合うものを選ぶこともできるが、被検者に遠用ポイントの透過窓６３Ｒ，６３Ｌ及び近用ポイントの透過窓６４Ｒ，６４Ｌを介して見え具合を確認してもらい、見え具合の比較により被検者自身が所望するものを選択することができる。
【００３７】
なお、上記のような累進レンズの情報はメモリ２３に記憶しておく他、メモリカード読取器３５を接続しておき、メモリカード３６の差し替えでレンズパター情報を呼び出して入力し直すことで、新規のものや多数のデータにも容易に対応できる。
【００３８】
以上のようにして測定されたアイポイントの測定結果や選択した累進レンズタイプの結果（最後に表示されたものが結果となる）は、プリントスイッチ１３ｄを押すことによりプリンタ１４から印字出力される。また、コネクタ１５にコンピュータ等の外部装置３７が接続されている場合には、同時に外部装置３７側にもデータが転送される。
【００３９】
なお、累進レンズの見え具合のシュミレーションは、アイポイント測定モードで測定した測定データを必ずしも使用する必要は無く、外部装置３７等からコントロール部１０側にアイポイントデータを入力し、このデータに基づいて被検者の眼前に累進レンズの光学パターンを形成すれば良い。すなわち累進レンズパターンの確認装置として単独に構成することもできる。
【００４０】
以上、本実施形態では液晶パネル部１を眼鏡フレームＦに直接取り付けるタイプとして構成したが、眼鏡フレームの前面側（好ましくは直前）に液晶ディスプレイ１Ｒ，１Ｌを配置できれば良いので、液晶ディスプレイの重量や眼鏡フレームＦの形状等の理由により取付けに支障がある場合には、ゴーグルタイプとしたり、頭部に固定するタイプとしても良い。また、図７のように、被検者が液晶ディスプレイの重量を支えるための保持機構７０を付けることも有効である。液晶パネル部１（液晶ディスプレイ１Ｒ，１Ｌ）を支持する水平バー７１は右端で下方に延び、その下端にグリップ７２が取り付けてある。眼鏡フレームＦと各液晶ディスプレイ１Ｒ，１Ｌは先の例と同様に取付け部材３Ｒ，３Ｌで固定しておき、被検者はグリップ７２を把持して液晶パネル部１を支えて測定を行う。
【００４１】
【発明の効果】
以上説明したように、本発明によれば、被検者自身が確認した自覚的なアイポイントを時間が掛からずに容易に測定することができる。被検者自身による測定ができるように操作を容易にし、操作手順も音声ガイドにより指示されるので、被検者自身が希望するアイポイントを決定することができる。さらに、簡単な構成としたので安価でコンパクトな装置を実現できる。
また、各種累進レンズの光学パターンを被検者の眼前で形成してその見え具合を容易に確認することができるので、被検者は累進レンズの特徴を理解しやすく、累進レンズの選定に役立てることができる。
【図面の簡単な説明】
【図１】本発明に係る装置の外観構成を示す図である。
【図２】本発明に係る装置の制御系の構成を示す図である。
【図３】遠用アイポイント及び近用アイポイント測定における被検者の視標観察状態を示す図である。
【図４】レンズシュミレーションのモードにおける、表示画面例を示す図である。
【図５】レンズシュミレーションにおいて、液晶ディスプレイに形成表示される累進レンズの光学パターン例を示す図である。
【図６】レンズシュミレーションにおいて、液晶ディスプレイに形成表示される累進レンズの光学パターン例の変容例を示す図である。
【図７】被検者が液晶ディスプレイの重量を支えるための保持機構の例を示す図である。
【符号の説明】
１  液晶パネル部
１Ｒ，１Ｌ  液晶ディスプレイ
３Ｒ，３Ｌ  取付け部材
１０  コントロール部
１１  表示部
１２  レバー
１３  スイッチ部
２０  制御部
２１  音声発生部
２３  メモリ
４０  透光穴
【図１】
0003636922.tif 000002
【図２】
0003636922.tif 000003
【図３】
0003636922.tif 000004
【図４】
0003636922.tif 000005
【図５】
0003636922.tif 000006
【図６】
0003636922.tif 000007
【図７】
0003636922.tif 000008